(57)【要約】【課題】  信号を増幅する増幅装置で、増幅器について低歪み化及び線形性を向上させる。【解決手段】  歪み信号生成手段Ａ〜Ｅ、１６が、１つ以上の発振周波数について、信号の発振、信号のレベル調整及び遅延、信号の増幅、信号のフィルタリングを実行し、実行結果の合成結果を歪み信号として生成する。増幅器３が増幅対象となる信号と生成された歪み信号とが合成された信号を増幅する。信号レベル検出手段１が増幅対象となる信号について信号のレベルを検出し、温度検出手段１２が温度を検出し、歪み信号生成制御手段１５が、信号のレベルと温度を含む増幅環境に対応して増幅環境データ対応記憶手段１４に記憶されたデータに基づいて、歪み信号生成手段を制御する。【選択図】  図１
2006191407.tif 000002
【特許請求の範囲】
【請求項１】
信号を増幅する増幅装置において、
１つ以上の発振周波数について、信号の発振と、当該発振した信号のレベル調整及び遅延と、当該レベル調整及び当該遅延した信号の増幅と、当該増幅した信号のフィルタリングを実行し、当該１つ以上の発振周波数についての当該実行結果の合成結果を歪み信号として生成する歪み信号生成手段と、
増幅対象となる信号と前記歪み信号生成手段により生成された歪み信号とが合成された信号を増幅する増幅器と、
前記増幅対象となる信号について信号のレベルを検出する信号レベル検出手段と、
温度を検出する温度検出手段と、
信号のレベル及び温度を含む増幅環境と生成すべき歪み信号に関するデータとの対応を記憶する増幅環境データ対応記憶手段と、
前記信号レベル検出手段により検出された信号のレベルと前記温度検出手段により検出された温度を含む増幅環境に対応して前記増幅環境データ対応記憶手段に記憶されたデータに基づいて、生成すべき歪み信号が前記歪み信号生成手段により生成されるように、前記歪み信号生成手段に対して、前記発振周波数と、前記レベル調整の量と、前記遅延の量と、前記フィルタリングの特性のうちの１つ以上を制御する歪み信号生成制御手段と、
を備えたことを特徴とする増幅装置。
【発明の詳細な説明】
【技術分野】
【０００１】
本発明は、信号を増幅器により増幅する増幅装置に関し、特に、増幅器について低歪み化及び線形性を向上させた増幅装置に関する。
【背景技術】
【０００２】
例えば、増幅器の非線形な歪みの低減及び線形性の向上を図るものとして、フィードフォワード方式の増幅装置が知られている。
一例として、多周波共通増幅器の高直線性を実現したフィードフォワード増幅器において、出力信号に含まれる歪み成分を更に抑圧して、高性能化や高安定化を図ることが検討されている（例えば、特許文献１参照。）。
【０００３】
図２には、フィードフォワード方式の増幅装置の構成例を示してある。
また、図２には、増幅装置に２つの異なる周波数の信号が入力された時における主要箇所でのスペクトラムの状態の一例を示してある。
本例の増幅装置により行われる動作の一例を示す。
まず、入力された高周波信号（ＲＦ  Ｉｎｐｕｔ）は分配器（ＤＩＶ）２１を通り、一方の分配信号が電力増幅器（Ｍａｉｎ  Ａｍｐｌｉｆｉｅｒ）２２を通ってある程度の歪み成分が付加されて出力される。他方の分配信号は、遅延器（Ｄｅｌａｙ  Ｌｉｎｅ）２４を通って合成器（ＣＯＭ）２５に入力される。
【０００４】
また、電力増幅器２２を通過した後における歪みが付加された信号をカプラ（ＣＯＵＰ）２３を通して遅延器（Ｄｅｌａｙ  Ｌｉｎｅ）２６へ出力するに際して、当該信号の一部を取り出して合成器２５に入力し、合成器２５においてカプラ２３から来る経路の信号と遅延器２４から来る経路の信号とを合成する。
この時、電力増幅器２２側からの信号と遅延器２４側からの信号とで位相が逆相になるように遅延器２４の位相を調整する。これにより、主信号（入力信号成分）は抑圧され、歪み成分のみが合成器２５から誤差増幅器（エラーアンプ：ＥＲＲ  Ａｍｐ）へ出力される。
【０００５】
このように歪み成分のみが抽出された信号が、誤差増幅器２７を通って、カプラ（ＣＯＵＰ）２８において主線路へ合成される。また、カプラ２８の主経路には、遅延器２６から出力された信号が入力される。
この時、電力増幅器２２側からの歪み成分（遅延器２６からの信号に含まれる歪み成分）と誤差増幅器２７側からの歪み成分とで位相が逆相になるように遅延器２６の位相を調整する。これにより、カプラ２８において、合成出力では歪み成分が抑圧されて、主信号のみが出力され、歪みが低減される。
【０００６】
【特許文献１】特開平７−３３６１５３号公報
【発明の開示】
【発明が解決しようとする課題】
【０００７】
しかしながら、図２に示されるようなフィードフォワード方式の増幅装置では、歪み成分の打ち消しが電力増幅器２２より後段にあるカプラ２８で行われるため、比較的レベルが大きい高周波信号を扱う必要があり、消費電力やコストの観点から不利になるといった問題があった。
本発明は、このような従来の事情に鑑み為されたもので、増幅器について低歪み化及び線形性を向上させることができる増幅装置を提供することを目的とする。
【課題を解決するための手段】
【０００８】
上記目的を達成するため、本発明に係る増幅装置では、信号を増幅するに際して、次のような処理を行う。
すなわち、歪み信号生成手段が、１つ以上の発振周波数について、信号の発振と、当該発振した信号のレベル調整及び遅延と、当該レベル調整及び当該遅延した信号の増幅と、当該増幅した信号のフィルタリングを実行し、そして、当該１つ以上の発振周波数についての当該実行結果の合成結果を歪み信号として生成する。
増幅器が、増幅対象となる信号と前記歪み信号生成手段により生成された歪み信号とが合成された信号を増幅する。
また、信号レベル検出手段が、前記増幅対象となる信号について、信号のレベルを検出する。
温度検出手段が、温度を検出する。
増幅環境データ対応記憶手段が、信号のレベル及び温度を含む増幅環境と生成すべき歪み信号に関するデータとの対応を記憶する。
そして、歪み信号生成制御手段が、前記信号レベル検出手段により検出された信号のレベルと前記温度検出手段により検出された温度を含む増幅環境に対応して前記増幅環境データ対応記憶手段に記憶されたデータに基づいて、生成すべき歪み信号が前記歪み信号生成手段により生成されるように、前記歪み信号生成手段に対して、前記発振周波数と、前記レベル調整の量と、前記遅延の量と、前記フィルタリングの特性のうちの１つ以上を制御する。
【０００９】
従って、増幅対象となる信号が増幅器により増幅されるに際して、当該信号のレベルや温度を含む増幅環境に対応して、生成すべき歪み信号が生成され、当該歪み信号が増幅対象となる信号と共に増幅器により増幅されることにより、当該増幅器で発生する歪み信号を打ち消して低減することができ、これにより、増幅器について低歪み化及び線形性を向上させることができる。
【００１０】
ここで、増幅対象となる信号としては、種々な信号が用いられてもよく、例えば、高周波数の信号（高周波信号）が用いられる。
また、増幅器としては、種々なものが用いられてもよく、例えば、電力増幅器が用いられる。
また、歪み信号の生成に関して、１つ以上の発振周波数の数としては、種々な数であってもよく、例えば、１つであってもよく、或いは、２つ以上であってもよい。
また、歪み信号の生成に関して、信号のレベル調整及び遅延としては、順序は任意であってもよく、例えば、レベル調整後に遅延させられてもよく、或いは、遅延後にレベル調整されてもよい。
また、歪み信号の生成に関して、発振周波数が１つである場合には、当該１つの発振周波数についての実行結果が合成結果とみなされて歪み信号として使用される。この場合には、実行結果の合成は、行われなくてもよい。
【００１１】
また、増幅対象となる信号について信号のレベルを検出する態様としては、例えば、増幅対象となる信号の一部を取り出して当該一部の信号のレベルを検出する態様が用いられる。
また、信号のレベルとしては、例えば、電圧レベルや電力レベルなどの種々なレベルが用いられてもよい。
また、温度としては、種々なところの温度が検出されてもよく、例えば、増幅器の温度や、増幅器の周辺の温度を検出する態様などが用いられる。
また、増幅環境としては、種々な環境が用いられてもよく、例えば、信号のレベルと温度のみから成る環境が用いられてもよく、或いは、他の条件を含む環境が用いられてもよい。一例として、信号の周波数を含む環境を用いることができ、この場合、増幅対象となる信号の周波数を検出する信号周波数検出手段を備えて、歪み信号生成制御手段は当該信号周波数検出手段により検出された信号の周波数を増幅環境に含めて処理を行う。
【００１２】
また、増幅環境に対応付けられる生成すべき歪み信号に関するデータとしては、例えば、生成すべき歪み信号を特定するデータや、或いは、生成すべき歪み信号を生成するために使用される制御態様（例えば、発振周波数や、レベル調整の量や、遅延の量や、フィルタリングの特性）を特定するデータなどを用いることができる。
また、生成すべき歪み信号としては、増幅器で発生する歪み成分を低減することができる信号が用いられる。なお、増幅器で発生する歪み成分の低減の程度としては、例えば、歪み成分を完全に打ち消すことができる程度が好ましいが、実用上で有効であれば、種々な程度が用いられてもよい。
【００１３】
また、増幅環境データ対応記憶手段が増幅環境と生成すべき歪み信号に関するデータとの対応を記憶する態様としては、種々な態様が用いられてもよく、例えば、増幅環境からデータが特定されるような態様が用いられる。
また、増幅環境データ対応記憶手段としては、例えば、データを記憶するメモリを用いて構成することができる。
また、歪み信号生成制御手段による、発振周波数の制御（例えば、発振する周波数の数や、発振する周波数の値の制御）や、レベル調整の量の制御や、遅延の量の制御や、フィルタリングの特性の制御としては、種々な態様が用いられてもよく、例えば、これらのうちの一部のみが制御されてもよく、或いは、これらの全てが制御されてもよく、また、時間の経過に伴って増幅環境が変化するような場合には当該変化に従って制御の態様が更新されていくような態様を用いることができる。
また、例えば、増幅環境データ対応記憶手段に記憶される増幅環境と生成すべき歪み信号に関するデータとの対応をフィードバックなどにより更新していくような態様を用いることが可能である。
【発明の効果】
【００１４】
以上説明したように、本発明に係る増幅装置によると、１つ以上の発振周波数について、信号の発振と、当該発振した信号のレベル調整及び遅延と、当該レベル調整及び当該遅延した信号の増幅と、当該増幅した信号のフィルタリングを実行して、当該１つ以上の発振周波数についての当該実行結果の合成結果を歪み信号として生成し、増幅器が増幅対象となる信号と生成された歪み信号とが合成された信号を増幅するに際して、増幅対象となる信号について信号のレベルを検出し、温度を検出し、そして、検出された信号のレベルと検出された温度を含む増幅環境に対応して記憶されたデータに基づいて、生成すべき歪み信号が生成されるように、前記発振周波数と、前記レベル調整の量と、前記遅延の量と、前記フィルタリングの特性のうちの１つ以上を制御するようにしたため、前記歪み信号により増幅器で発生する歪み信号を打ち消して低減することができ、これにより、増幅器について低歪み化及び線形性を実現することができる。
【発明を実施するための最良の形態】
【００１５】
本発明に係る一実施例を図面を参照して説明する。
図１には、本発明の一実施例に係る増幅装置の構成例を示してある。
また、図１には、本例の増幅装置に２つの異なる周波数の信号が入力された時における主要箇所でのスペクトラムの状態の一例を示してある。
本例の増幅装置は、カプラ（ＣＯＵＰ）１と、カプラ（ＣＯＵＰ）２と、電力増幅器（Ｍａｉｎ  Ａｍｐ）３と、Ａ／Ｄ（Ａｎａｌｏｇ  ｔｏ  Ｄｉｇｉｔａｌ）変換器１１と、温度センサ（Ｔｅｍｐ  Ｓｅｎｓ）１２と、Ａ／Ｄ変換器１３と、温度周波数テーブル（Ｔｅｍｐ／Ｆｒｅｑ  Ｔａｂｌｅ）１４と、ＣＰＵ（Ｃｅｎｔｒａｌ  Ｐｒｏｃｅｓｓｉｎｇ  Ｕｎｉｔ）１５と、３つの歪み信号生成経路と、合成器（ＣＯＭ）１６を備えている。
それぞれの歪み信号生成経路は、１つの発振器（ＯＳＣ）Ａ１〜Ａ３と、１つの可変減衰器（ＡＴＴ）Ｂ１〜Ｂ３と、１つの可変遅延器（Ｄｅｌａｙ）Ｃ１〜Ｃ３と、１つの増幅器（Ａｍｐ）Ｄ１〜Ｄ３と、１つの可変バンドパスフィルタ（可変ＢＰＦ）Ｅ１〜Ｅ３を備えている。
【００１６】
本例の増幅装置により行われる動作の一例を示す。
本例の増幅装置では、増幅対象となる高周波信号（ＲＦ  Ｉｎｐｕｔ）がカプラ１に入力される。
カプラ１は、入力される信号をカプラ２へ出力し、これに際して、当該入力信号の一部を取り出してＡ／Ｄ変換器１１へ出力する。本例では、カプラ１は、電力増幅器３への信号（の一部）の入力レベルを検出（検波）する機能を有している。
カプラ２は、カプラ１から入力される信号（主信号）及び合成器１６から入力される信号（歪み信号）を合成して電力増幅器３へ出力する。
電力増幅器３は、カプラ２から入力される信号を増幅して、当該増幅後の信号を出力する。当該増幅後の信号は、増幅された高周波信号（ＲＦ  Ｏｕｔｐｕｔ）として本例の増幅装置から出力される。
【００１７】
カプラ１で検出された入力信号の一部は、入力レベルに応じた波形整形制御のための基本信号として用いられる。
Ａ／Ｄ変換器１１は、カプラ１から入力される信号をアナログ信号からデジタル信号へ変換してＣＰＵ１５へ出力する。当該デジタル信号は、電力増幅器３への入力信号（主信号）のレベルに関する情報を有している。
温度センサ１２は、温度を検出して、検出した温度を表す信号（温度検出信号）をＡ／Ｄ変換器１３へ出力する。本例では、温度センサ１２は、電力増幅器３或いはその周辺の温度を検出する。
Ａ／Ｄ変換器１３は、温度センサ１２から入力される温度検出信号をアナログ信号からデジタル信号へ変換してＣＰＵ１５へ出力する。当該デジタル信号は、温度に関する情報を有している。
【００１８】
温度周波数テーブル１４は、例えばＲＯＭ（Ｒｅａｄ  Ｏｎｌｙ  Ｍｅｍｏｒｙ）などのメモリから構成されており、温度と、信号の周波数と、信号のレベルとの組み合わせ毎に、生成すべき歪み成分の信号（歪み信号）に関するデータをメモリに格納している。
ＣＰＵ１５は、Ａ／Ｄ変換器１１から入力される信号や、Ａ／Ｄ変換器１３から入力される信号や、温度周波数テーブル１４に格納されたデータに基づいて、演算を行って、電力増幅器３で発生する（と予想される）歪みの成分を低減させる歪み信号を生成するための制御信号を生成して、生成した制御信号を各歪み信号生成経路の発振器Ａ１〜Ａ３や可変減衰器Ｂ１〜Ｂ３や可変遅延器Ｃ１〜Ｃ３や可変バンドパスフィルタＥ１〜Ｅ３へ出力する。
また、ＣＰＵ１５は、例えば外部の人や装置から、送信をオンオフ切替するための信号（ＴＸ  Ｏｎ／Ｏｆｆ）や、変調をオンオフ切替するための信号（ＭＯＤ  Ｏｎ／Ｏｆｆ）を入力し、これらに従って、送信処理のオンオフ切替や、変調処理のオンオフ切替を行う。
【００１９】
ここで、ＣＰＵ１５では、温度はＡ／Ｄ変換器１３から入力される信号に基づいて特定され、信号のレベルはＡ／Ｄ変換器１１から入力される信号に基づいて特定され、また、信号の周波数は例えばＡ／Ｄ変換器１１から入力される信号或いは外部の人や装置からの設定などにより特定される。
また、ＣＰＵ１５は、特定された温度と周波数とレベルとの組み合わせに対応したデータを温度周波数テーブル１４から読み出して、読み出したデータに対応した制御信号を生成する。
本例では、制御信号としては、各歪み信号生成経路について、発振器Ａ１〜Ａ３の動作状態を制御する信号や、可変減衰器Ｂ１〜Ｂ３により信号を減衰させる量（減衰量）を制御する信号や、可変遅延器Ｃ１〜Ｃ３により信号を遅延させる量（遅延量）を制御する信号や、可変バンドパスフィルタＥ１〜Ｅ３により通過させる帯域を制御する信号が用いられる。なお、発振器Ａ１〜Ａ３により発振する信号の周波数を制御する信号を用いることも可能である。
【００２０】
また、温度周波数テーブル１４には、例えば、予め、温度と信号の周波数と信号のレベルとの組み合わせ毎に電力増幅器３で発生する歪みの量（歪み発生量）のデータを理論や測定により取得した結果に基づいて、このような歪み成分を打ち消すための歪み成分の信号を生成するためにＣＰＵ１５により使用されるデータを格納する。
なお、温度周波数テーブル１４にデータを格納する態様としては、種々な態様が用いられてもよく、例えば、１つのテーブルに全てのデータが格納されてもよく、或いは、温度や周波数やレベル毎に異なるテーブルが設けられて、温度周波数テーブル１４が複数のテーブルから構成されてもよい。
【００２１】
それぞれの歪み信号生成経路では、ＣＰＵ１５から入力される制御信号に基づいて、電力増幅器３で発生する歪み成分を打ち消すための歪み成分の信号として、高調波成分の信号を発生及び波形整形して、合成器１６へ出力する。
すなわち、それぞれの歪み信号生成経路では、発振器Ａ１〜Ａ３は、ＣＰＵ１５からの制御信号に基づいて、動作状態がオン状態或いはオフ状態とされて、オン状態である場合には、所定の周波数の信号を発振して可変減衰器Ｂ１〜Ｂ３へ出力する。
なお、本例では、複数の発振器Ａ１〜Ａ３のうちで必要とする発振器のみを発振させる構成としたが、例えば、発振器Ａ１〜Ａ３の発振周波数を制御することも可能である。
【００２２】
可変減衰器Ｂ１〜Ｂ３は、ＣＰＵ１５からの制御信号に基づく減衰量で、発振器Ａ１〜Ａ３から入力される信号のレベルを減衰させて調整し、当該レベル調整後の信号を可変遅延器Ｃ１〜Ｃ３へ出力する。
可変遅延器Ｃ１〜Ｃ３は、ＣＰＵ１５からの制御信号に基づく遅延量で、可変減衰器Ｂ１〜Ｂ３から入力される信号を遅延させて、このように必要に応じて遅延させた信号を増幅器Ｄ１〜Ｄ３へ出力する。
増幅器Ｄ１〜Ｄ３は、可変遅延器Ｃ１〜Ｃ３から入力される信号を増幅して可変バンドパスフィルタＥ１〜Ｅ３へ出力する。
ここで、本例の各歪み信号生成経路では、可変遅延器Ｃ１〜Ｃ３を通過するまでの信号は非常にレベルが低い小信号であるため、必要とするレベルまで増幅器Ｄ１〜Ｄ３により増幅している。なお、本例では、図２に示されるようなフィードフォワード方式の誤差増幅器２７と比べて、処理する歪み成分の信号のレベルが低いため、消費電力やデバイスのコストの観点から有利である。
【００２３】
可変バンドパスフィルタＥ１〜Ｅ３は、ＣＰＵ１５からの制御信号に基づくフィルタリング特性で、増幅器Ｄ１〜Ｄ３から入力される信号をフィルタリング処理して合成器１６へ出力する。ここで、本例の各歪み信号生成経路では、増幅器Ｄ１〜Ｄ３においてスプリアスが発生することから、次段の可変バンドパスフィルタＥ１〜Ｅ３によりスプリアス成分のレベル及び帯域を制限して、これにより、歪み信号として必要とされる基本波成分及び高調波成分を得ている。
このように、それぞれの歪み信号生成経路では、ＣＰＵ１５からの制御信号により制御されて形成された高調波成分の歪み信号が合成器１６へ出力される。なお、実用上で有効に歪み低減が実現される程度であれば、歪み信号に主信号の成分（基本波成分）が含まれていてもよい。
【００２４】
合成器１６は、３つの歪み信号生成経路の可変バンドパスフィルタＥ１〜Ｅ３から入力される歪み信号を合成して、当該合成結果の信号をカプラ２へ出力する。
これにより、カプラ２では、カプラ１から信号を入力するとともに、当該信号が電力増幅器３に入力された場合に発生する（と予想される）歪み成分を打ち消す歪み成分の信号を合成器１６から入力し、これらの信号が合成された信号が電力増幅器３へ出力される。電力増幅器３では、合成器１６からカプラ２を介して入力される歪み成分の信号と当該電力増幅器３における信号増幅で発生する歪み成分の信号とが打ち消されることで、歪み成分が低減されて線形性が良い増幅信号が出力される。このように、本例では、電力増幅器３に入力される信号に当該電力増幅器３で発生する歪み成分を打ち消す成分が含まれることにより、高周波の電力増幅器３について低歪み化及び線形性を改善することができる。
【００２５】
以上のように、本例の増幅装置では、高周波の信号レベルが比較的低い電力増幅器３の入力側で、電力増幅器３で発生する歪み成分を打ち消す歪み成分を入力することで、電力増幅器３の出力では歪み成分の発生が抑圧されるとともに、電力増幅器３の線形性を向上させることができる。
従って、本例の増幅装置では、高周波の電力増幅器３の低歪み化及び線形性を向上させることができる。具体的には、例えば、レベルが低い信号での信号処理を行うため消費電力を低減することや部品コストを小さくして有利化することができ、従来方式よりも高効率化や小型化や軽量化が期待できる。また、例えば、ＲＯＭなどから構成される温度周波数テーブル１４を使用状況などに対応して複数設けてそれぞれのテーブル毎に歪み成分に関するデータを書き込んでおいて、任意のテーブルを設定や変更することが可能な構成とすることで、高周波回路の調整工数を削減することが可能である。
このように、本例の増幅装置では、歪み成分の打ち消しを行うための歪み信号を電力増幅器３の入力側で合成するため、扱う信号が小信号となり、消費電力やコストや調整工数などの観点から有利である。
【００２６】
なお、本例の増幅装置では、発振器Ａ１〜Ａ３の機能により信号発振手段が構成されており、可変減衰器Ｂ１〜Ｂ３の機能により信号レベル調整手段が構成されており、可変遅延器Ｃ１〜Ｃ３の機能により信号遅延手段が構成されており、増幅器Ｄ１〜Ｄ３の機能により歪み成分の信号を増幅する増幅器が構成されており、可変バンドパスフィルタＥ１〜Ｅ３の機能によりフィルタリング手段が構成されており、複数（本例では、３つ）の歪み信号生成経路の機能や合成器１６の機能により歪み信号生成手段が構成されており、電力増幅器３の機能により増幅対象となる信号を増幅する増幅器が構成されている。
また、本例の増幅装置では、カプラ１の機能により信号レベル検出手段が構成されており、温度センサ１２の機能により温度検出手段が構成されており、温度周波数テーブル１４の機能により増幅環境データ対応記憶手段が構成されており、ＣＰＵ１５の機能により歪み信号生成制御手段が構成されている。
また、本例の増幅装置では、増幅対象となる信号の周波数を検出する信号周波数検出手段が備えられており、信号の周波数についても増幅環境の一条件として考慮されている。
【００２７】
ここで、本発明に係る増幅装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。例えば、本発明は、無線送信機や、無線通信機や、無線通信システムなどに適用することが可能であり、送信対象となる信号を増幅する増幅装置として使用することができる。
【００２８】
また、本発明に係る増幅装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２９】
【図１】本発明の一実施例に係る増幅装置の構成例を示す図である。
【図２】フィードフォワード方式の増幅装置の構成例を示す図である。
【符号の説明】
【００３０】
１、２、２３、２８・・カプラ、  ３、２２・・電力増幅器、  １１、１３・・Ａ／Ｄ変換器、  １２・・温度センサ、  １４・・温度周波数テーブル、  １５・・ＣＰＵ、  １６、２５・・合成器、  Ａ１〜Ａ３・・発振器、  Ｂ１〜Ｂ３・・可変減衰器、  Ｃ１〜Ｃ３、２４、２６・・遅延器、  Ｄ１〜Ｄ３・・増幅器、  Ｅ１〜Ｅ３・・可変バンドパスフィルタ、  ２１・・分配器、  ２７・・誤差増幅器、
【図１】
2006191407.tif 000003
【図２】
2006191407.tif 000004